(57)【特許請求の範囲】
【請求項１】
雨水枡及びこの雨水枡に通じる排水パイプが地中に埋設され、雨水枡の上部には雨水ガイド装置が設けられ、この雨水ガイド装置は、地表に露出して延びる一方向に長い樋形状の排水トラフと、この排水トラフ内に流入する雨水を前記雨水枡内に導入する雨水導入体とで構成され、雨水導入体は排水トラフが嵌着される筒部を有し、排水トラフは底面が断面Ｖ形状をなし、前記筒部の互いに対向する両側面に切欠きが形成され、その切欠きに前記排水トラフの中間部が嵌合されて雨水導入体の上部に排水トラフが接続されていることを特徴とする雨水排水装置。
【発明の詳細な説明】
【技術分野】
【０００１】
この発明は、家屋の周辺の敷地や道路沿いの敷地などに施工される雨水排水装置に関する。
【背景技術】
【０００２】
近年、地中に塩ビ製の排水パイプを埋設し、その排水パイプの所定間隔ごとに塩ビ製の雨水枡を設け、その各雨水枡の上端部の開口部を地表に露出させ、その各開口部に通水が可能な蓋体を装着し、降雨時の雨水を前記蓋体を通して雨水枡内に導入し、さらにその雨水を雨水枡から前記排水パイプを通して既設の排水本管などに流入させる雨水排水装置が提供されるようになってきている。なお、この発明で言う地表とは、土地の表面をはじめとして、コンクリート、モルタル、アスファルトなどで舗装された舗装面、あるいは多数のブロック材やタイル材を敷き詰めて舗装された舗装面などを含む。
【発明の開示】
【発明が解決しようとする課題】
【０００３】
しかしながら、このような雨水排水装置においては、各雨水枡の上端の蓋体が地表に点在するように露出し、降雨時にその点在する蓋体から雨水が流入するだけであり、このため少雨時には問題がないが、豪雨時には排水径路が狭すぎ、排水能力に限界が生じ、地表に雨水が滞留してしまうことがある。
【０００４】
また、景観的に見ると、家屋の周辺や道路沿いの敷地の地表に各雨水枡の蓋体が乱雑に点在するように露出するため均整がとれず、その乱雑に点在する蓋体により敷地の全体の景観が低下するという難点がある。
【０００５】
この発明はこのような点に着目してなされたもので、その目的とするところは、地表での排水能力を高めて豪雨時であっても地表の雨水を的確かつ円滑に排出することができ、かつ景観も良好に保つことができる雨水排水装置を提供することにある。
【課題を解決するための手段】
【０００６】
この発明の雨水排出装置は、雨水枡及びこの雨水枡に通じる排水パイプが地中に埋設され、雨水枡の上部には雨水ガイド装置が設けられ、この雨水ガイド装置は、地表に露出して延びる一方向に長い樋形状の排水トラフと、この排水トラフ内に流入する雨水を前記雨水枡内に導入する雨水導入体とで構成され、雨水導入体は排水トラフが嵌着される筒部を有し、排水トラフは底面が断面Ｖ形状をなし、前記筒部の互いに対向する両側面に切欠きが形成され、その切欠きに前記排水トラフの中間部が嵌合されて雨水導入体の上部に排水トラフが接続されていることを特徴としている。
【発明の効果】
【０００７】
この発明の雨水排水装置によれば、地表での排水能力を高めて豪雨時であっても地表の雨水を的確かつ円滑に排出することができ、かつ景観も良好に保つことができる。
【発明を実施するための最良の形態】
【０００８】
以下、この発明の実施の形態について図面を参照して説明する。
【０００９】
図１乃至図５にはこの発明の第１の実施形態を示してある。図１に示すように、家屋の周辺や道路沿いの敷地などの地中には有底筒状の雨水枡１と、この雨水枡１に連なる排水パイプ２とが埋設されている。雨水枡１及び排水パイプ２はそれぞれ塩化ビニールで形成されている。そして雨水枡１は排水パイプ２を介して地中に埋設された他の雨水枡や排水本管に連通している。
【００１０】
前記敷地の地表部には雨水ガイド装置３が設けられ、この雨水ガイド装置３は図２乃至図４に示すように、雨水導入体４と、この雨水導入体４の上部に接続された排水トラフ５とで構成されている。雨水導入体４は、平面形状が前記雨水枡１に対応する円形のベース部８と、このベース部８の中央部に一体に突出形成された平面形状が矩形の筒部９とからなる。そして図５に示すように、筒部９の互いに対向する両側面には切欠き１０が形成され、これら切欠き１０を介して筒部９の上部に一方向に長い前記排水トラフ５が嵌着されている。なお、前記雨水導入体４は鋳物で形成され、前記排水トラフ５はステンレスで形成されている。
【００１１】
排水トラフ５は一方向に長い樋形状に形成され、その底面は大きな角度で拡がる断面Ｖ形状となっている。この排水トラフ５の両側の側縁上部には断面Ｌ状の受部１３が一体的に設けられている。そしてこの排水トラフ５は、その長手方向の中間部が筒部９の両側面の切欠き１０に嵌合されているとともに、側縁上部の受部１３が筒部９の上に載置され、その受部１３から筒部９の内側のボス９ａに渡って皿ねじ１４が螺挿され、これら皿ねじ１４により排水トラフ５が筒部９に固定されている。排水トラフ５の底面には、筒部９の内側に対応する部分において排水口１５が形成され、この排水口１５を通して排水トラフ５内が筒部９内に連通している。排水トラフ５の底面には前記排水口１５に向って斜め下方に傾斜するごく緩やかな例えば0.2％程度の勾配がつけられている。
【００１２】
排水トラフ５の上面の開口部にはグレーチングなどの通水可能な蓋体１８が装着されている。この蓋体１８は排水トラフ５の受部１３の上に載置されている。受部１３にはねじ軸１９が予め複数取り付けられており、蓋体１８の上面からその各ねじ軸１９にキャップナット２０が螺挿され、これらキャップナット２０により蓋体１８が排水トラフ５に着脱可能に締結されている。
【００１３】
前記ベース部８の周縁部には、その下方に突出する環状の外周壁２２と内周壁２３とが一体に形成され、これら外周壁２２と内周壁２３との間の隙間が嵌合溝２４となっている。そして前記嵌合溝２４が前記雨水枡１の上端の開口縁部に嵌合され、かつ前記外周壁２２の外面から雨水枡１の上端の外周面に突き当るように複数の止めねじ２５が螺挿され、これら止めねじ２５の締め付けで雨水枡１に対して雨水ガイド装置３が固定されている。雨水ガイド装置３は、その上部の排水トラフ５が家屋や道路の方向に沿って延び、かつその上面が地表面と面一となるように雨水枡１の上部に取り付けられている。
【００１４】
このような雨水排水装置においては、降雨時の雨水が地表を伝わって排水トラフ５の全長区間の各部からその内側に流れ込む。そしてこの雨水が排水トラフ５を伝わって雨水枡１の配置側に流れるとともに排水口１５から雨水枡１内に流入する。雨水枡１内に流入した水は排水パイプ２を伝わって排水本管側に流通してその排水本管に排出される。
【００１５】
排水トラフ５は家屋の周辺や道路沿いの敷地に連続するように敷設されており、このため地表に降った雨水は排水トラフ５の全長区間の部分においてその内側に順次流れ込み、したがって地表の雨水に対する排水能力が高く、豪雨時などであっても地表に雨水が滞留するようなことがない。
【００１６】
一方、景観的に見た場合、雨水枡１は地中に埋設されて家屋の周辺や道路沿いの地表には露出せず、家屋や道路に沿う一連の排水トラフ５が地表に露出するだけであり、このため雨水枡の上部の蓋体が地表に乱雑に点在するように露出する従来の形態に比べ、全体の景観が格段に向上し、良好な住環境や道路環境を保つことができる。
【００１７】
なお、雨水枡１としては、その口径が種々異なる複数種のものがあるが、雨水ガイド装置３の雨水導入体４もその口径する対応する複数種のものが用意される。この場合、雨水枡１の開口部に嵌合させる雨水導入体４のベース部８の外径を雨水枡１の口径に対応させるだけで、筒部９はその各雨水導入体４ごとで共通する同一の寸法の仕様とすることが可能で、このような仕様を採用することにより雨水枡１の口径が種々異なる場合であっても、共通の寸法の排水トラフ５を用いることができる。
【００１８】
図６には第２の実施形態を示してあり、この実施形態は雨水導入体４を台座３０を用いて支持する構成となっている。台座３０は鋳物製で全体が環状をなし、高さの小さい円筒状の嵌合部３１と、この嵌合部３１下端縁からその外方にフランジ状に延びる支持部３２とを有している。
【００１９】
そしてこの台座３０は、雨水枡１の上端の開口部と離間して対向するように、地中の基礎３３を介して支持されている。すなわち、前記支持部３２が地中の基礎３３の上に載置されて固定され、台座３０の全体が水平に支持されている。
【００２０】
この状態で雨水導入体４の下部の嵌合溝２４が台座３０の嵌合部３１に嵌合され、かつ外周壁２２の外面から台座の３０の嵌合部３１の外周面に突き当るように複数の止めねじ２５が螺挿され、これら止めねじ２５の締め付けで台座３０に対して雨水導入体４が固定されている。なお、雨水導入体４の上部には前記第１の実施形態の場合と同様に排水トラフ５が取り付けられ、この排水トラフ５の上面が地表面と面一となるように施工されている。
【００２１】
このような構成の雨水排水装置においても、地表に降った雨水が排水トラフ５の全長区間の部分においてその内側に順次流れ込み、雨水枡１を通して排水されるから地表の雨水に対する排水能力が高く、豪雨時などであっても地表に雨水が滞留するようなことがない。
【００２２】
また、景観的にも、家屋や道路の方向に沿って連続するように延びる一連の排水トラフ５が地表に露出するだけであり、雨水枡の上部の蓋体が地表に乱雑に露出することがないから、良好な住環境や道路環境を保つことができる。
【００２３】
そして特にこの実施形態の場合には、雨水ガイド装置３の全体が基礎３３の上に設置された台座３０を介して支持され、その雨水ガイド装置３の荷重が雨水枡１にかかることがなく、このため雨水枡１の沈下などを長期に渡って防止することができる。
【００２４】
なお、前記第１の実施形態では雨水導入体４を鋳物製としたが、雨水枡１の口径が小さい場合などには、図７に第３の実施形態として示すように雨水導入体４をステンレスなどの金属板で形成することも可能である。この場合の雨水導入体４は、その下端部を雨水枡１の上端の開口部の内側に嵌合し、その内側からボルト３５を螺挿し、これらボルト３５の締め付けで雨水枡１に固定する構造となっている。そして、雨水導入体４の下部外周部には、雨水枡１への挿入深さを規制するためのストッパ３６が設けられている。
【００２５】
このような雨水排水装置においても前記第１の場合と同様に、地表に降った雨水が排水トラフ５の全長区間の部分においてその内側に順次流れ込み、雨水枡１を通して排水されるから地表の雨水に対する排水能力が高く、豪雨時などであっても地表に雨水が滞留するようなことがなく、また景観的にも、家屋や道路の方向に沿って連続するように延びる一連の排水トラフ５が地表に露出するだけであり、雨水枡の上部の蓋体が地表に乱雑に露出することがないから、良好な住環境や道路環境を保つことができる。
【図面の簡単な説明】
【００２６】
【図１】この発明の第１の実施形態に係る雨水排水装置の全体の平面図。
【図２】その雨水排水装置の要部を拡大して示す平面図。
【図３】その雨水排水装置の要部の側面方向から見た断面図。
【図４】その雨水排水装置の要部の正面方向から見た断面図。
【図５】その雨水排水装置における雨水導入体の断面図。
【図６】この発明の第２の実施形態に係る雨水排水装置の要部の断面図。
【図７】この発明の第３の実施形態に係る雨水排水装置の要部の断面図。
【符号の説明】
【００２７】
１…雨水枡
２…排水パイプ
３…雨水ガイド装置
４…雨水導入体
５…排水トラフ
８…ベース部
９…筒部
１５…排水口
１８…蓋体
３０…台座
３１…嵌合部
３２…支持部
３３…基礎
３６…ストッパ
【図１】
0004594242.tif 000002
【図２】
0004594242.tif 000003
【図３】
0004594242.tif 000004
【図４】
0004594242.tif 000005
【図５】
0004594242.tif 000006
【図６】
0004594242.tif 000007
【図７】
0004594242.tif 000008